(57)【要約】      （修正有）【課題】フレームメモリ等の回路の増加を抑制ししつつ、画像データとバックライト制御信号との同期を実現した表示装置を提供する。【解決手段】バックライトと、入力映像信号より高い周波数で映像信号を出力するフレームレート変換用メモリ部と、該フレームレート変換された映像信号から補間フレームを生成し、該フレームを内挿した映像信号を出力する補間フレーム生成部と、ヒストグラム生成部と、前記ヒストグラムをもとに前記バックライトの輝度を調整するためのバックライト制御信号を算出するバックライト輝度算出部とを備え、前記入力映像信号のＮフレーム目の画像データをフレームレート変換した画像データと、Ｎフレーム目とＮ＋１フレーム目の画像データとから生成された補間フレームの画像データとを用いてヒストグラムを生成し、前記ヒストグラムに基づいて算出した前記バックライト制御信号を用いて表示する。【選択図】図３
2010085946.tif 000002
【特許請求の範囲】
【請求項１】
光変調素子部としての表示パネルと、
前記表示パネルの背面に設置され照射光を照射するバックライトと、
外部システムから入力された入力映像信号より高い周波数で映像信号を出力するフレームレート変換用メモリ部と、
該フレームレート変換された映像信号から補間フレームを生成し、該補間フレームを内挿した映像信号を出力する補間フレーム生成部と、
映像信号に基づいてヒストグラムを生成するヒストグラム生成部と、
前記ヒストグラムをもとに前記バックライトの輝度を調整するためのバックライト制御信号を算出するバックライト輝度算出部と
を備え、前記表示パネルに表示用の画像データを出力し、前記バックライトに前記バックライト制御信号を出力する表示装置であって、
前記入力映像信号のＮ（０を含む自然数）フレーム目の画像データをフレームレート変換した画像データと、
前記入力映像信号のＮフレーム目の画像データとＮ＋１フレーム目の画像データとから生成された補間フレームの画像データとを、
前記フレームレート変換用メモリ部に入力される入力映像信号と同じフレームである、Ｎフレーム目の画像データを用いて生成された前記ヒストグラムに基づいて算出された前記バックライト制御信号を用いて表示する
ことを特徴とする表示装置。
【請求項２】
請求項１に記載の表示装置において、
前記フレームレート変換用メモリ部に入力される映像信号と同じフレーム期間の入力映像信号を用いて、前記ヒストグラム生成部にて前記ヒストグラムを生成することを特徴とする表示装置。
【請求項３】
請求項１又は２に記載の表示装置において、
前記補間フレーム生成部から出力される映像信号と、
前記バックライト輝度算出部から出力される前記バックライト制御信号とを用いて、
表示用の画像データの補正を行う表示画像データ補正部を備えることを特徴とする表示装置。
【請求項４】
請求項１乃至３の内のいずれかに記載の表示装置において、
前記表示用の画像データの２フレーム期間、
前記表示用の画像データを表示する前記バックライト制御信号を、同じヒストグラムから求めることを特徴とする表示装置。
【請求項５】
請求項１乃至３の内のいずれかに記載の表示装置において、
前記出力表示画像データの２フレームに同一の前記バックライト制御信号を連続して用いることを特徴とする表示装置。
【請求項６】
光変調素子部としての表示パネルと、
前記表示パネルの背面に設置され照明光を照射するバックライトと、
外部システムから入力された入力映像信号より高い周波数で映像信号を出力するフレームレート変換用メモリ部と、
該フレームレート変換された映像信号から明フィールドと暗フィールドを生成し、該明フィールドと暗フィールドからなる映像信号を出力する明暗フィールド生成部と、
映像信号に基づいてヒストグラムを生成するヒストグラム生成部と、
前記ヒストグラムをもとに前記バックライトの輝度を調整するためのバックライト制御信号を算出するバックライト輝度算出部と
を備え、前記表示パネルに表示用の画像データを出力し、前記バックライトに前記バックライト制御信号を出力する表示装置であって、
前記入力映像信号のＮフレーム目の画像データから生成された暗フィールドの画像データと、
前記入力映像信号のＮ＋１フレーム目の画像データから生成された明フィールドの画像データとを、
前記フレームレート変換用メモリ部に入力される入力映像信号と同じフレームである、Ｎフレーム目の画像データを用いて生成された前記ヒストグラムによって算出された前記バックライト制御信号を用いて表示する
ことを特徴とする表示装置。
【請求項７】
請求項６に記載の表示装置において、
前記フレームレート変換用メモリ部に入力される映像信号と同じフレーム期間の入力映像信号を用いて、前記ヒストグラム生成部にて前記ヒストグラムを生成することを特徴とする表示装置。
【請求項８】
請求項６又は７に記載の表示装置において、
前記明暗フィールド生成部から出力される映像信号と、前記バックライト輝度算出部から出力される前記バックライト制御信号とを用いて、
表示用の画像データの補正を行う表示画像データ補正部を備えることを特徴とする表示装置。
【請求項９】
請求項６乃至８の内のいずれかに記載の表示装置において、
前記出力表示画像データの２フレーム期間、
前記表示用の画像データを表示する前記バックライト制御信号を、同じヒストグラムから求めることを特徴とする表示装置。
【請求項１０】
請求項６乃至８の内のいずれかに記載の表示装置において、
前記表示用の画像データの２フレーム期間に同一の前記バックライト制御信号を連続して用いることを特徴とする表示装置。
【請求項１１】
請求項６乃至８の内のいずれかに記載の表示装置において、
入力された映像信号の１フレーム分のデータを用いて生成された前記ヒストグラムから、明フィールド用の前記バックライト制御信号と暗フィールド用の前記バックライト制御信号の２つを算出することを特徴とする表示装置。
【請求項１２】
外部システムから入力される画像データに応じた階調及び輝度の表示を行う表示装置であって、
マトリックス状に配列された複数の画素を有する表示パネルと、
前記表示パネルの背面側に照射光を照射するバックライトと、
前記外部システムから入力される少なくとも１フレーム分の画像データを記憶するメモリ部と、
前記画像データから異なる値の画像データを生成する生成部と、
前記画像データに基づいて、バックライトの発光量を演算する発光量演算部と
を備え、
前記メモリ部は、１フレーム期間に１回前記画像データが書き込まれ、前記画像データの書き込みから少なくとも１／２フレーム期間遅れて２回前記画像データが読み出され、
前記生成部は、前記メモリ部から第１回目に読み出された第１の画像データと、第２回目に読み出された第２の画像データとから第１及び第２の画像データに応じた第１及び第２の表示データを生成し、
前記発光量演算部は前記外部システムから入力される画像データに基づいてバックライトの発光量を演算し、
前記第１及び第２の表示データの前記液晶パネルでの表示と、前記演算された発光量での前記バックライトの照射とが、前記外部システムから入力される画像データのフレーム期間に同期してなされる
ことを特徴とする表示装置。
【請求項１３】
請求項１２に記載の表示装置において、
前記外部システムから入力される画像データに基づいてヒストグラムを生成するヒストグラム生成部を備え、
発光量演算部は前記ヒストグラムに基づいてバックライトの発光量を演算することを特徴とする表示装置。
【請求項１４】
請求項１２又は１３に記載の表示装置において、
前記生成部から出力される前記第１及び第２の表示データと、前記発光量演算部から出力されるバックライトの発光量とを用いて、
表示データの補正を行う表示画像データ補正部を備えることを特徴とする表示装置。
【請求項１５】
請求項１乃至１４の内のいずれかに記載の表示装置において、
前記表示パネルは、マトリックス状に複数の画素が配置され、液晶層を介して対向配置される第１及び第２の基板を有する液晶表示パネルであることを特徴とする表示装置。
【請求項１６】
マトリックス状に配列された複数の画素を有する表示パネルと、
前記表示パネルの背面側に照射光を照射するバックライトと、
前記外部システムから入力される少なくとも１フレーム分の画像データを記憶するメモリ部と、
前記画像データから異なる値の画像データを生成する生成部と、
前記画像データに基づいて、バックライトの発光量を演算する発光量演算部と
を備え、外部システムから入力される画像データに応じた階調及び輝度の表示を行う表示装置の駆動方法であって、
前記メモリ部に対して、１フレーム期間に１回前記画像データが書き込まれ、前記画像データの書き込みから少なくとも１／２フレーム期間遅れて２回前記画像データが読み出される工程と、
前記メモリ部から第１回目に読み出された第１の画像データと、第２回目に読み出された第２の画像データとから第１及び第２の画像データに応じた第１及び第２の表示データを前記生成部が生成する工程と、
前記外部システムから入力される画像データに基づいて、前記発光量演算部がバックライトの発光量を演算する工程と、
前記第１及び第２の表示データの前記液晶パネルでの表示と、前記演算された発光量での前記バックライトの照射とが、前記外部システムから入力される画像データのフレーム期間に同期してなされる工程と
を有することを特徴とする表示装置の駆動方法。
【発明の詳細な説明】
【技術分野】
【０００１】
本発明は表示装置及びその駆動方法に係わり、映像信号に応じて光源の輝度を制御する際に映像信号と光源輝度制御とを連動させて表示を行う表示装置に関する。
【背景技術】
【０００２】
近年、液晶表示装置に代表される、非発光型の表示装置が広く普及している。非発光型表示装置は、光源と、光源からの光の透過光量を調整する光変調素子を用いる。非発光型表示装置では、光源の消費電力や、黒表示時における光源の光漏れによるコントラストの低下が問題となっている。そこで、消費電力やコントラストを改善するために、映像信号によって光源輝度の制御を行う方法が複数提案されている。一例として、特許文献１には、入力画像から所定階調毎に各階調範囲を代表する階調と、各階調範囲に含まれる画素の頻度とを対応づけたヒストグラムにより光源輝度を制御する画像表示装置が提案されている。
【０００３】
また、液晶表示装置は一般に、陰極線管（ＣＲＴ）を用いた表示装置のように画像の書き込みの瞬間に強く発光するインパルス型表示装置と異なり、画像が書き込まれてから次のフレームの画像が書き込まれるまで表示を保持するホールド型表示装置である。ホールド型表示装置の欠点として、動画を表示した場合に、移動する物体のエッジ部分がぼやけて見える、所謂動画ぼやけがある。この動画ぼやけの発生要因は、物体の移動に伴い視線を移動する際、輝度がホールドされた表示画像に対して移動前後の表示イメージを観測者が補間する、所謂網膜残像に起因する。この動画ぼやけを解消するためには、より短い周波数で表示画像を更新するか、黒画面の挿入によって一旦網膜残像をキャンセルすることで、インパルス型表示装置に近づける方法が有効であることが知られている（非特許文献１参照）。
【０００４】
動画ぼやけを改善する方法の一つとして、隣接する２フレームから、その２フレームの中間となるフレームを補間フレームとして生成し、その補間フレームを隣接する２フレーム間に内挿し、元の映像信号のフレーム周波数より周波数の高いフレーム周波数で補間フレームを内挿した映像信号を出力する方式（補間フレーム内挿方式）が特許文献２に開示されている。
【０００５】
動画ぼやけを改善する方法としては他に、１フレーム期間を明フィールドと暗フィールドの２フィールド期間に分け、元の映像信号の表示を２フィールドで擬似的に表示し、暗フィールドによって網膜残像をキャンセルする方式（明暗フィールド分割方式）が特許文献３に開示されている。
【０００６】
前述する補間フレーム方式、明暗フィールド分割方式ともに、入力される映像信号のフレーム周波数より周波数の高いフレーム周波数に変換（フレームレート変換）し、映像信号を出力する必要があり、このフレームレート変換を行う場合、映像信号を一度保持するために、フレームメモリが用いられる。
【特許文献１】特開２００８−７６７５５号公報
【特許文献２】特開２００５−２４１７８７号公報
【特許文献３】特開２００６−３４３７０６号公報
【非特許文献１】Moving Picture Quality Improvement for Hold-type AM-LCDs, Taiichiro kurita, SID 01 DIGEST
【発明の開示】
【発明が解決しようとする課題】
【０００７】
映像信号によって光源の輝度を制御する場合の課題について説明する。図１は従来の表示装置の一例である液晶表示装置の概略構成を説明するための図であり、特に映像信号によって光源輝度を制御する機構を有する表示装置のブロック構成図の一例を図１（ａ）に示す。図１（ａ）に示す表示装置は、表示画像データ補正部１０８、ヒストグラム生成部１０６、バックライト輝度算出部１０７、画像表示部１０９から構成されている。画像表示部１０９は、光変調素子部としての液晶パネル１１０と、液晶パネルの背面に設置された光源部としてのバックライト１１１により構成される。特に、図１に示すように、従来の液晶表示装置では、高原輝度を制御する機構は他の映像処理回路とは独立しており、その入力である映像信号１０２も他の映像処理回路からの出力信号を用いる構成となっている。
【０００８】
次に、映像信号が図１（ａ）に示すブロック構成図に、図１（ｂ）のタイミングチャートに示すタイミングで入力された場合について、映像信号１０２の１フレーム分の画像データをＤ０とし、画像データＤ０に着目して、課題を説明する。１フレーム分の画像データとは、例えばハイビジョン規格の１９２０ドット×１０８０ラインでＲＧＢ各８ビットの計２４ビットの場合、１９２０×１０８０×２４ビットで構成されるデータのことである。画像データＤ０は、ヒストグラム生成部１０６と表示画像データ補正部１０８に入力される。ヒストグラム生成部１０６では画像データＤ０からバックライト輝度算出部１０７においてバックライト輝度を算出するための指標となる、画像データＤ０の特徴量を示すヒストグラム１０４を生成する。このヒストグラム１０４を１フレーム分の画像データを用いて生成する場合、図１（ｂ）のタイミングチャートに示すように、画像データＤ０のヒストグラム１０４であるデータＨＧ０は、画像データＤ０に対し、１フレーム期間Ｔ遅れて生成される。データＨＧ０として生成されたヒストグラム１０４はバックライト輝度算出部１０７へ出力される。バックライト輝度算出部１０７では、ヒストグラム生成部１０６で求められたヒストグラム１０４であるＨＧ０を用いて、バックライトの発光輝度を算出し、バックライト制御信号１０５であるデータＢＬ０を表示画像データ補正部１０８及びバックライト１１１へ出力する。ここで、表示画像データ補正部１０８に入力される画像データとバックライト制御信号１０５のタイミングに着目すると、画像データＤ０が表示画像データ補正部１０８に入力されるタイミングと、画像データＤ０から生成されたヒストグラム１０４であるデータＨＧ０によって求められたバックライト制御信号１０５であるデータＢＬ０が表示画像データ補正部１０８に入力されるタイミングとでは１フレーム期間Ｔずれることになる。このため、表示画像データ補正部１０８では、画像データＤ０より求められたバックライト制御信号１０５であるデータＢＬ０を用いて、画像データＤ１を補正し、表示画像データ１０３のデータＤ１’を生成することになるという問題が生じる。
【０００９】
この問題を解決する方法としては、フレームメモリを用いる方法が特許文献１で提案されている。図１に示す表示装置にフレームメモリを用いる方法を適用した表示装置のブロック構成図の例を図２（ａ）に示す。フレームメモリ部２０３によって画像データＤ０を１フレーム期間Ｔ遅延させることで、表示画像データ補正部１０８に入力される画像データＤ０と、画像データＤ０から求められたバックライト制御信号１０５であるデータＢＬ０とを同期させて、表示画像データ補正部１０８に入力することができる。このため、表示画像データ補正部１０８では、画像データＤ０より求められたバックライト制御信号１０５であるデータＢＬ０を用いて、画像データＤ０を補正することが可能となる。しかしながら、画像データとバックライト制御信号１０５との同期を取るためにはフレームメモリが必要であり、表示装置の低コスト化が困難である。
【００１０】
本願発明は、このような問題を解決すべくなされたものであり、本願発明の目的は、フレームメモリ等の回路の増加を抑制ししつつ、画像データとバックライト制御信号との同期を実現した表示装置を提供することにある。
【課題を解決するための手段】
【００１１】
前記課題を解決すべく、光変調素子部としての表示パネルと、前記表示パネルの背面に設置され照射光を照射するバックライトと、外部システムから入力された入力映像信号より高い周波数で映像信号を出力するフレームレート変換用メモリ部と、該フレームレート変換された映像信号から補間フレームを生成し、該補間フレームを内挿した映像信号を出力する補間フレーム生成部と、映像信号に基づいてヒストグラムを生成するヒストグラム生成部と、前記ヒストグラムをもとに前記バックライトの輝度を調整するためのバックライト制御信号を算出するバックライト輝度算出部とを備え、前記表示パネルに表示用の画像データを出力し、前記バックライトに前記バックライト制御信号を出力する表示装置であって、前記入力映像信号のＮフレーム目の画像データをフレームレート変換した画像データと、前記入力映像信号のＮフレーム目の画像データとＮ＋１フレーム目の画像データとから生成された補間フレームの画像データとを、前記フレームレート変換用メモリ部に入力される入力映像信号と同じフレームである、Ｎフレーム目の画像データとを用いて生成された前記ヒストグラムに基づいて算出された前記バックライト制御信号を用いて表示する表示装置である。
【００１２】
前記課題を解決すべく、光変調素子部としての表示パネルと、前記表示パネルの背面に設置され照明光を照射するバックライトと、外部システムから入力された入力映像信号より高い周波数で映像信号を出力するフレームレート変換用メモリ部と、該フレームレート変換された映像信号から明フィールドと暗フィールドを生成し、該明フィールドと暗フィールドからなる映像信号を出力する明暗フィールド生成部と、映像信号に基づいてヒストグラムを生成するヒストグラム生成部と、前記ヒストグラムをもとに前記バックライトの輝度を調整するためのバックライト制御信号を算出するバックライト輝度算出部とを備え、前記表示パネルに表示用の画像データを出力し、前記バックライトに前記バックライト制御信号を出力する表示装置であって、前記入力映像信号のＮフレーム目の画像データから生成された暗フィールドの画像データと、前記入力映像信号のＮ＋１フレーム目の画像データから生成された明フィールドの画像データとを、前記フレームレート変換用メモリ部に入力される入力映像信号と同じフレームである、Ｎフレーム目の画像データを用いて生成された前記ヒストグラムによって算出された前記バックライト制御信号を用いて表示する表示装置である。
【００１３】
前記課題を解決すべく、外部システムから入力される画像データに応じた階調及び輝度の表示を行う表示装置であって、マトリックス状に配列された複数の画素を有する表示パネルと、前記表示パネルの背面側に照射光を照射するバックライトと、前記外部システムから入力される少なくとも１フレーム分の画像データを記憶するメモリ部と、前記画像データから異なる値の画像データを生成する生成部と、前記画像データに基づいて、バックライトの発光量を演算する発光量演算部とを備え、前記メモリ部は、１フレーム期間に１回前記画像データが書き込まれ、前記画像データの書き込みから少なくとも１／２フレーム期間遅れて２回前記画像データが読み出され、前記生成部は、前記メモリ部から第１回目に読み出された第１の画像データと、第２回目に読み出された第２の画像データとから第１及び第２の画像データに応じた第１及び第２の表示データを生成し、前記発光量演算部は前記外部システムから入力される画像データに基づいてバックライトの発光量を演算し、前記第１及び第２の表示データの前記液晶パネルでの表示と、前記演算された発光量での前記バックライトの照射とが、前記外部システムから入力される画像データのフレーム期間に同期してなされる表示装置である。
【００１４】
前記課題を解決すべく、マトリックス状に配列された複数の画素を有する表示パネルと、前記表示パネルの背面側に照射光を照射するバックライトと、前記外部システムから入力される少なくとも１フレーム分の画像データを記憶するメモリ部と、前記画像データから異なる値の画像データを生成する生成部と、前記画像データに基づいて、バックライトの発光量を演算する発光量演算部とを備え、外部システムから入力される画像データに応じた階調及び輝度の表示を行う表示装置の駆動方法であって、前記メモリ部に対して、１フレーム期間に１回前記画像データが書き込まれ、前記画像データの書き込みから少なくとも１／２フレーム期間遅れて２回前記画像データが読み出される工程と、前記メモリ部から第１回目に読み出された第１の画像データと、第２回目に読み出された第２の画像データとから第１及び第２の画像データに応じた第１及び第２の表示データを前記生成部が生成する工程と、前記外部システムから入力される画像データに基づいて、前記発光量演算部がバックライトの発光量を演算する工程と、前記第１及び第２の表示データの前記液晶パネルでの表示と、前記演算された発光量での前記バックライトの照射とが、前記外部システムから入力される画像データのフレーム期間に同期してなされる工程とを有する表示装置の駆動方法である。
【発明の効果】
【００１５】
本発明によれば、フレームメモリ等の回路の増加を抑制ししつつ、画像データとバックライト制御信号とを同期させた表示を行うことができる。
【００１６】
本発明のその他の効果については、明細書全体の記載から明らかにされる。
【発明を実施するための最良の形態】
【００１７】
以下、本発明が適用された実施形態の例について、図面を用いて説明する。ただし、以下の説明において、同一構成要素には同一符号を付し繰り返しの説明は省略する。
【００１８】
〈実施形態１〉
図３は本発明の実施形態１の表示装置の一例である液晶表示装置の概略構成を説明するための図であり、特に図３（ａ）は本発明の実施形態１の液晶表示装置の概略構成を説明するためのブロック構成図であり、図３（ｂ）は本発明の実施形態１の液晶表示装置の動作を説明するための動作チャートである。図３に示す実施形態１の液晶表示装置は、補間フレーム内挿方式とバックライト輝度変調方式を有する液晶表示装置である。ただし、本願明細書中においては、Ｎは０を含む自然数である。
【００１９】
図３に示すように、本発明の実施形態１の液晶表示装置は、フレームレート変換用メモリ部３０６、補間フレーム生成部３０７、表示画像データ補正部３０８、ヒストグラム生成部１０６、バックライト輝度算出部３０９、画像表示部１０９から構成されている。また、画像表示部１０９は、光変調素子部としての液晶パネル（表示パネル）１１０と、液晶パネルの背面に設置された光源部としてのバックライト１１１により構成される。
【００２０】
図３において、フレームレート変換用メモリ部３０６は少なくとも１フレーム分の記憶容量のフレームメモリを有しており、該フレームメモリは周知のＳＤＲＡＭ、ＤＲＡＭ、ＲＡＭ、ＦＩＦＯ等のいずれで構成されていてもよい。また、実施形態１のフレームレート変換用メモリ部３０６は、フレームメモリに格納した映像信号（画像データ）を入力時の映像信号３１０のフレーム周波数よりも高いフレーム周波数で比較用フレームＡ３０１及び比較用フレームＢ３０２として出力する。実施形態１のフレームレート変換用メモリ部３０６では、入力時の映像信号３１０のフレーム周波数は６０Ｈｚであり、比較用フレームＡ３０１及び比較用フレームＢ３０２のフレーム周波数は１２０Ｈｚである。
【００２１】
補間フレーム生成部３０７は周知の中間値検出回路を有しており、例えば該中間値検出回路は比較用フレームＡ３０１から入力されるＮフレーム目の画像データと、比較用フレームＢ３０２から入力されるＮ＋１フレーム目の画像データとの画素毎の中間値を演算する構成となっている。すなわち、実施形態１の補間フレーム生成部３０７は順次入力される２つ入力（比較用フレームＡ３０１と比較用フレームＢ３０２）の画像データ毎に、その画素毎の値（画素値）を加算した後に加算数である２で除算することにより中間値を生成し、該中間値を補間フレームの画像データ３０３として出力する構成となっている。なお、補間フレーム生成部３０７に入力される画像データはそれぞれ１フレームの半分の期間（＝Ｔ／２）となるので、その補間フレームの出力期間も１フレーム期間の半分の期間（Ｔ／２）となる。また、補間フレーム生成部３０７による補間フレームの生成は中間値検出回路による中間値に限定されることはなく、例えばマッチング法を用いる周知の動きベクトル検出回路を用いて補間フレームを生成する等の方法でもよく、本発明の要旨を逸脱しない範囲において種々変更可能である。
【００２２】
ヒストグラム生成部１０６は、図示しない外部システムから入力される映像信号３１０からバックライト輝度を算出するための指標を生成するための周知の回路である。実施形態１のヒストグラム生成部１０６においても、外部システムから映像信号３１０として入力される画像データからその特徴量を示すヒストグラムを生成し、得られたヒストグラムを出力する構成となっている。このとき、実施形態１のヒストグラム生成部１０６は１フレーム分の画像データからヒストグラムを生成する構成となっているので、画像データの入力からヒストグラムの生成までには１フレーム分の時間が必要となる。すなわち、画像データの入力から１フレーム期間遅延して当該画像データに対応したヒストグラムが得られることとなる。
【００２３】
バックライト輝度算出部３０９はヒストグラムに基づいてバックライト１１１の輝度を制御するためのバックライト制御信号３０５を算出し、得られたバックライト制御信号３０５に基づいてバックライト１１１の図示しない駆動回路を制御し、所望の輝度でバックライト１１１を発光させるための周知の回路である。なお、実施形態１のバックライト輝度算出部３０９は、ヒストグラムの入力からバックライト制御信号の算出までがほぼリアルタイムでなされる構成となっている。
【００２４】
表示画像データ補正部３０８は表示用データとバックライト制御信号３０５とに基づいて、バックライト１１１の輝度を考慮した画像データを生成する周知の回路である。すなわち、バックライト輝度算出部３０９ではヒストグラムに基づいて画面全体が明るい画像の場合にはバックライト１１１の輝度を上げたバックライト光の照射となるが、画面全体が比較的暗い場合などはバックライト１１１の輝度を下げたバックライト光の照射となる。一方、補間フレーム生成部３０７から出力される画像データ３０３は、バックライトが最高輝度で点灯している場合の画像データとなる。このため、バックライト１１１の発光輝度を下げたのみでは、液晶パネル１１０を通過するバックライト１１１の光量が不足し、所望の画面表示よりも暗い画面表示となってしまうので、表示画像データ補正部３０８が入力された画像データ３０３をバックライト１１１の光量に対応した画像データ３０４に変換し、得られた画像データ３０４を表示データとして液晶パネル１１０の図示しない液晶ドライバ回路に出力するものである。
【００２５】
次に、図３（ｂ）に示す動作チャートに基づいて、実施形態１の液晶表示装置の動作を説明する。なお、以下の説明において、１フレーム分の画像データを画像データＤ０、Ｄ１、Ｄ２・・・で示す。従って、任意のＮフレーム目の画像データはＤＮであり、次のフレームであるＮ＋１フレーム目の画像データはＤＮ＋１となる。また、以下の説明では、表示画像データ補正部３０８に入力される画像データとバックライト制御信号３０５のタイミングとに着目して説明する。
【００２６】
まず、図示しない外部システム（前段のシステム）より、色調や階調等の画面表示に応じた表示されるべき映像データ（画像データ）が映像信号３１０として入力される（ｔ０〜ｔ１）。
【００２７】
入力された映像信号３１０は、フレームレート変換用メモリ部３０６とヒストグラム生成部１０６とにそれぞれ入力される。
【００２８】
入力された映像信号３１０はフレームレート変換用メモリ部３０６が有する図示しないフレームメモリに順次格納される。次に、フレームメモリに格納した映像信号３１０が入力時の映像信号３１０のフレーム周波数（６０Ｈｚ）よりも周波数の高いフレーム周波数（１２０Ｈｚ）で、フレームレート変換用メモリ部３０６から比較用フレームＡ３０１及び比較用フレームＢ３０２として出力される。この時、入力された映像信号１０２に対して、比較用フレームＡ３０１は０．５フレーム期間（＝０．５Ｔ）遅延して出力され（ｔ１〜ｔ２）、比較用フレームＢ３０２は１フレーム期間（＝Ｔ）遅延して出力される（ｔ２〜ｔ３）。
【００２９】
入力される比較用フレームＡ３０１及び比較用フレームＢ３０２からＤ０、Ｄ１で示す画像データが入力された補間フレーム生成部３０７では、比較用フレームＡ３０１と比較用フレームＢ３０２との中間となる補間フレームの生成が行われる。比較用フレームＡ３０１がＤ０、比較用フレームＢ３０２がＤ０の場合に、補間フレーム生成部３０７はＤ０を出力し（ｔ２〜ｔ３）、比較用フレームＡ３０１がＤ１、比較用フレームＢ３０２がＤ０の場合に、Ｄ０とＤ１の補間フレームであるＤ０．５を出力する（ｔ３〜ｔ４）。このように補間フレーム生成部３０７での出力は、入力される映像信号３１０の１フレーム分の画像データＤ０に対して（例えば、ｔ０〜ｔ２）、演算後画像データ３０３は１フレーム期間（＝Ｔ）遅延して出力される（例えば、ｔ２〜ｔ４）。また、画像データＤ０に対し、画像データＤ０と画像データＤ１の補間フレームである演算後画像データ３０３（Ｄ０．５で示す）は１．５フレーム期間（＝１．５Ｔ）遅延して出力される（例えば、ｔ３〜ｔ４）。
【００３０】
一方、画像データＤ０がヒストグラム生成部１０６に入力されると（ｔ０）、ヒストグラム生成部１０６では画像データＤ０から当該画像データＤ０の特徴量を示すヒストグラム１０４を生成する。このヒストグラム１０４は前述するように１フレーム分の画像データ（例えば、ｔ０〜ｔ２期間の画像データ）を用いて生成する構成となっているので、画像データＤ０に対応するヒストグラム１０４（ＨＧ０で示す）は画像データＤ０に対して、１フレーム期間（＝Ｔ）遅延して生成される（ｔ２〜ｔ４）。
【００３１】
バックライト輝度算出部３０９では、ヒストグラム生成部１０６で求められたＨＧ０で示すヒストグラム１０４を用いて、バックライト１１１の発光輝度を算出し、ＢＬ０で示すバックライト制御信号３０５を表示画像データ補正部３０４及びバックライト１１１へ出力する（ｔ２〜ｔ４）。この時、ＢＬ０で示すバックライト制御信号３０５は、元の入力画像データＤ０に対し（ｔ０〜ｔ２）、１フレーム遅延して（ｔ２〜ｔ４）、表示画像データ補正部３０８に出力される。
【００３２】
よって、表示画像データ補正部３０８には元の入力画像データＤ０に対し、１フレーム期間遅延したＤ０で示す演算後画像データ３０３、及びＤ０．５で示す１．５フレーム期間遅延した演算後画像データ３０３、並びに１フレーム期間遅延したＢＬ０で示すバックライト制御信号３０５が入力されることになる。
【００３３】
これにより、表示画像データ補正部３０８では、ＢＬ０で示すバックライト制御信号３０５を用いて、Ｄ０で示す演算後画像データ３０３とＤ０．５で示す演算後画像データ３０３とを補正することができる。なお、ＢＬ０で示すバックライト制御信号３０５を用いて、Ｄ０．５で示す演算後画像データ３０３を補正することになるが、Ｄ０．５で示す演算後画像データ３０３は元の入力された画像データＤ０と画像データＤ１の補間フレームであるため、ＢＬ０で示すバックライト制御信号３０５でも問題なく補正できる。
【００３４】
また、ｔ４以降の期間では、前述する動作を繰り返すことにより、元の入力画像データからヒストグラム生成を行い、バックライト制御信号を生成することで、表示画像データ補正部における画像データとバックライト制御信号の同期を取るためのフレームメモリを削減することができ、画像データとバックライト制御信号との同期を低コストで実現することができる。
【００３５】
本発明の実施形態１の液晶表示装置は、補間フレーム内挿方式を実現する回路であるフレームレート変換用メモリ部３０６及び補間フレーム生成部３０７からなる回路に入力される映像信号３１０を用いて、バックライト制御のためのヒストグラム１０４を生成することを特徴とするものである。
【００３６】
以上説明したように、実施形態１の液晶表示装置では、外部システムから入力される画像データある映像信号３１０は、一旦フレームレート変換用メモリ部３０６に記憶される。該記憶された画像データは入力時の２倍のフレーム周波数である１２０Ｈｚで、比較用フレームＡ３０１からは１フレームの半分の期間（＝Ｔ／２）遅れて、比較用フレームＢ３０２からは１フレーム期間（＝Ｔ）遅れてそれぞれ出力される構成となっている。このため、Ｄ０で示す映像信号３１０が入力された期間（ｔ０〜ｔ２）をＮフレーム目とした場合、Ｄ０から得られた補正前の画像データ（演算後画像データ３０３）が得られるのは、次の期間（ｔ２〜ｔ４）であるＤ１で示す映像信号３１０が入力されるＮ＋１フレーム目となる。
【００３７】
一方、外部システムから入力される画像データある映像信号３１０からヒストグラム１０４を生成するヒストグラム生成部１０６は１フレーム分の画像データが必要となる。従って、Ｄ０で示す映像信号３１０が入力された期間（ｔ０〜ｔ２）をＮフレーム目とした場合、Ｄ０で示す映像信号３１０から得られるヒストグラムが生成されるのは、次の期間（ｔ２〜ｔ４）であるＤ１で示す映像信号３１０が入力されるＮ＋１フレーム目となり、該Ｎ＋１フレーム目にＤ０で示す映像信号３１０に基づいたバックライト制御信号３０５が生成され、バックライトの発光量が制御される。
【００３８】
このように、実施形態１の液晶表示装置では、映像信号３１０の入力から画像データが得られるまでに１フレーム期間を要する補間フレーム内挿方式の実現回路の入力であるフレームレート変換メモリ部３０６への入力信号、すなわち外部システムから入力される画像データある映像信号３１０から直接ヒストグラムを生成しバックライト制御信号３０５を算出する構成となっているので、Ｎ＋１フレーム目の期間である期間ｔ２〜ｔ４において、Ｎフレーム目の画像データから得られた発光量制御と、Ｎフレーム目の画像データに基づいた画像表示とを同期させることが可能となる。
【００３９】
その結果、フレームメモリ等の回路の増加を抑制ししつつ、画像データとバックライト制御信号とを同期させた表示を行うことができる。
【００４０】
〈実施形態２〉
図４は本発明の実施形態２の表示装置の一例である液晶表示装置の概略構成を説明するための図であり、特に図４（ａ）は本発明の実施形態２の液晶表示装置の概略構成を説明するためのブロック構成図であり、図４（ｂ）は本発明の実施形態２の液晶表示装置の動作を説明するための動作チャートである。図４に示す実施形態２の液晶表示装置は、明暗フィールド分割方式とバックライト輝度変調方式を有する液晶表示装置である。
【００４１】
図４に示すように、本発明の実施形態２の液晶表示装置は、フレームレート変換用メモリ部４０６、明暗フィールド生成部４０７、表示画像データ補正部４０８、ヒストグラム生成部１０６、バックライト輝度算出部４０９、画像表示部１０９から構成されている。また、画像表示部１０９は、光変調素子部としての液晶パネル（表示パネル）１１０と、液晶パネルの背面に設置された光源部としてのバックライト１１１とにより構成される。
【００４２】
図４において、フレームレート変換用メモリ部４０６は少なくとも１フレーム分の記憶容量のフレームメモリを有しており、該フレームメモリは周知のＳＤＲＡＭ、ＤＲＡＭ、ＲＡＭ、ＦＩＦＯ等のいずれで構成されていてもよい。また、実施形態２のフレームレート変換用メモリ部４０６は、フレームメモリに格納した映像信号を入力時の映像信号４１０のフレーム周波数よりも高いフレーム周波数で２回連続して出力する構成となっている。例えば、実施形態２のフレームレート変換用メモリ部４０６では、入力時の映像信号４１０のフレーム周波数は６０Ｈｚであり、その出力（画像データ）４０１のフレーム周波数は１２０Ｈｚである。このように、実施形態２の液晶表示装置では、フレームレート変換メモリ部４０６が入力時の映像信号のフレーム周波数を基準として、その２倍の周波数で２回同一の画像データを出力することにより、１フレーム期間を第１期間（明フィールド期間）と第２期間（暗フィールド期間）との２つの期間に分割する構成となっている。
【００４３】
明暗フィールド生成部４０７は連続して２回入力される同一の画像データの内で、第１期間の画像データからその輝度よりも大きい輝度値の画像データすなわち明るい画像を生成し、得られた画像データを明フィールド期間の画像データとして出力する。また、明暗フィールド生成部４０７は第２期間の画像データからその輝度よりも小さい輝度値の画像データすなわち暗い画像を生成し、得られた画像データを暗フィールド期間の画像データとして出力する。以降、入力される第１及び第２期間の画像データに対してこの動作を繰り返すことにより、同一画像データに対する明フィールドと暗フィールドの画像データを生成し、２つのフィールドの画像データで元の画像データと同じ輝度（目視輝度）を擬似的に得ることを可能とする。
【００４４】
バックライト輝度算出部４０９は、ヒストグラムに基づいてバックライト１１１の輝度を制御するためのバックライト制御信号４０４を算出し、得られたバックライト制御信号４０４に基づいてバックライト１１１の図示しない駆動回路を制御し、所望の輝度でバックライト１１１を発光させるための周知の回路である。実施形態２のバックライト輝度算出部４０９もヒストグラムの入力からバックライト制御信号の算出までがほぼリアルタイムでなされる構成となっている。
【００４５】
表示画像データ補正部４０８は表示用データとバックライト制御信号４０４とに基づいて、バックライト１１１の輝度を考慮した画像データ４０３を生成する周知の回路である。すなわち、バックライト輝度算出部４０９ではヒストグラムに基づいて画面全体が明るい画像の場合にはバックライト１１１の輝度を上げたバックライト光の照射とし、画面全体が比較的暗い場合などはバックライト１１１の輝度を下げたバックライト光の照射とする構成は実施形態１と同様である。
【００４６】
次に、図４（ｂ）に示す動作チャートに基づいて、実施形態２の液晶表示装置の動作を説明する。
【００４７】
まず、図示しない外部システムより、色調や階調等の画面表示に応じた表示されるべき映像データが映像信号４１０として入力される（ｔ０〜ｔ２）。入力された映像信号４１０は、フレームレート変換用メモリ部４０６でフレームレート変換が行われ（ｔ１〜ｔ３）、明暗フィールド生成部４０７にて明フィールドと暗フィールドが生成される（ｔ１〜ｔ３）。
【００４８】
ここで、映像信号４１０の１フレーム分の画像データである画像データＤ０に着目すると、入力画像データＤ０に対し、Ｄ０明で示す演算後画像データ４０２は０．５フレーム期間（＝０．５Ｔ）遅延しており（ｔ１〜ｔ２）、Ｄ０暗で示す演算後画像データ４０２は１フレーム期間（＝Ｔ）遅延して（ｔ２〜ｔ３）、表示画像データ補正部４０８に出力される。
【００４９】
一方、バックライト制御信号４０４は、入力された画像データＤ０によりヒストグラム生成部１０６でＨＧ０で示すヒストグラム１０４が生成され（ｔ２〜ｔ４）、バックライト輝度算出部４０９にてＨＧ０で示すヒストグラム１０４を用いて、ＢＬ０で示すバックライト制御信号Ｉ４０４が算出される（ｔ２〜ｔ４）。すなわち、ＢＬ０で示すバックライト制御信号Ｉ４０４は、入力画像データＤ０に対し、１フレーム期間（＝Ｔ）遅延して表示画像データ補正部４０８に出力される（ｔ１〜ｔ４）。ｔ４以降の期間は、前述の動作を繰り返す。
【００５０】
ここで、表示画像データ補正部４０８では、ＢＬ０で示すバックライト制御信号Ｉ４０４を用いて、Ｄ０暗で示す演算後画像データ４０２（ｔ２〜ｔ３）とＤ１明で示す演算後画像データ４０２（ｔ３〜ｔ４）を補正することになる。この場合、明フィールドと暗フィールドを同一のバックライト制御信号Ｉ４０４で補正することになる。
【００５１】
なお、実施形態２の液晶表示装置は前述の構成に限定されることはなく、例えば、前述のバックライト制御信号Ｉ４０４をバックライト制御信号II４０５のように、ＨＧ０で示すヒストグラム１０４から暗フィールド用のバックライト制御信号II４０５（ＢＬ０Ａで示す）（ｔ２〜ｔ３）と、明フィールド用のバックライト制御信号II４０５（ＢＬ０Ｂで示す）（ｔ３〜ｔ４）を算出する構成でもよい。このような構成とすることにより、ＨＧ０で示すヒストグラム１０４から算出したＢＬ０Ａで示すバックライト制御信号II４０５を用いて、Ｄ０暗で示す演算後画像データ４０２を補正することができる（ｔ２〜ｔ３）。この場合、ＨＧ０で示すヒストグラム１０４から算出したＢＬ０Ｂで示すバックライト制御信号II４０５を用いて、Ｄ１明で示す演算後画像データ４０２を補正することになるが、明フィールドに比べて暗フィールドの方がバックライト輝度を下げて画像データの階調を上げることによる消費電力の改善効果をより期待できるので、暗フィールドの演算後画像データ４０２とバックライト制御信号II４０５の同期を取ることが重要となる。
【００５２】
このように、実施形態２の液晶表示装置は、明暗フィールド分割方式により演算をした後、バックライト輝度変調方式により表示画像データを補正することで、表示画像データ補正部における画像データとバックライト制御信号の同期を取るためのフレームメモリを削減でき、画像データとバックライト制御信号の効率的な同期を低コストで実現することができる。
【００５３】
以上説明したように、実施形態２の液晶表示装置では、外部システムから入力される画像データある映像信号４１０は一旦フレームレート変換用メモリ部４０６に記憶される。該記憶された画像データは入力時の２倍のフレーム周波数である１２０Ｈｚで１フレームの半分の期間（＝Ｔ／２）遅れて出力される構成となっている。このため、Ｄ０で示す映像信号４１０が入力された期間（ｔ０〜ｔ２）をＮフレーム目とした場合、Ｄ０から得られた補正前の画像データであるＤ０明が得られるのは期間ｔ１〜ｔ２であり、Ｄ０暗が得られるのは期間ｔ２〜ｔ３であり、Ｄ０暗が得られるのはＤ１で示す映像信号４１０が入力されるＮ＋１フレーム目となる。
【００５４】
一方、外部システムから入力される画像データある映像信号４１０からヒストグラム１０４を生成するヒストグラム生成部１０６は１フレーム分の画像データが必要となる。従って、Ｄ０で示す映像信号４１０が入力された期間（ｔ０〜ｔ２）をＮフレーム目とした場合、Ｄ０で示す映像信号４１０から得られるヒストグラムが生成されるのは、次の期間（ｔ２〜ｔ４）であるＤ１で示す映像信号４１０が入力されるＮ＋１フレーム目となり、該Ｎ＋１フレーム目にＤ０で示す映像信号４１０に基づいたバックライト制御信号４０４が生成され、バックライトの発光量が制御される。
【００５５】
このように、実施形態２の液晶表示装置では、映像信号４１０の入力から画像データが得られるまでに１フレーム期間（＝Ｔ）の半分の期間（＝Ｔ／２）を要する明暗フィールド分割方式の実現回路の入力であるフレームレート変換メモリ部４０６への入力信号、すなわち外部システムから入力される画像データある映像信号４１０から直接ヒストグラムを生成しバックライト制御信号４０４を算出する構成となっているので、Ｎ＋１フレーム目の期間である期間ｔ２〜ｔ３において、Ｎフレーム目の画像データから得られた発光量制御と、Ｎフレーム目の画像データに基づいた画像表示とを同期させることが可能となる。
【００５６】
その結果、フレームメモリ等の回路の増加を抑制ししつつ、画像データとバックライト制御信号とを同期させた表示を行うことができる。
【００５７】
なお、本願発明は実施形態１及び２の液晶表示装置に限定されることはなく、Ｉ−Ｐ変換（インターレース−プログレッシブ変換）方式を実現する回路もフレームメモリを有する構成となっているので、Ｉ−Ｐ変換方式の液晶表示装置にも適用可能である。
【００５８】
以上のように、本発明の実施形態における表示装置では、入力映像信号のＮフレーム目の画像データとＮ＋１フレーム目の画像データとから生成された補間フレームの画像データと、入力映像信号のＮフレーム目の画像データをフレームレート変換した画像データとを表示する際に、フレームレート変換用メモリ部に入力される入力映像信号と同じであるＮフレーム目の画像データとを用いて生成されたヒストグラムに基づいて算出された前記バックライト制御信号を用いて表示するものである。
【００５９】
このとき、Ｎ＋１フレーム目のバックライトの制御はＮフレーム目の画像データから得られたヒストグラムに基づいた発光量制御となる。一方、液晶パネルでのＮ＋１フレーム目の表示もＮフレーム目の画像データに基づいた画像表示となる。
【００６０】
その結果、フレームメモリ等の回路の増加を抑制ししつつ、画像データとバックライト制御信号とを同期させた表示を行うことができる。
【図面の簡単な説明】
【００６１】
【図１】従来の表示装置の一例である液晶表示装置の概略構成を説明するための図である。
【図２】従来の表示装置にフレームメモリを用いる方法を適用した表示装置の概略構成を説明するための図である。
【図３】本発明の実施形態１の表示装置の一例である液晶表示装置の概略構成を説明するための図である。
【図４】本発明の実施形態２の表示装置の一例である液晶表示装置の概略構成を説明するための図である。
【符号の説明】
【００６２】
１０２・・・映像信号、１０３・・・表示画像データ、１０４・・・ヒストグラム
１０５・・・バックライト制御信号、１０６・・・ヒストグラム生成部
１０７・・・バックライト輝度算出部、１０８・・・表示画像データ補正部
１０９・・・画像表示部、１１０・・・液晶パネル、１１１・・・バックライト
２０１・・・画像データ、２０２・・・画像データ、２０３・・・フレームメモリ部
３０１・・・比較用フレームＡ、３０２・・・比較用フレームＢ
３０３・・・画像データ、３０４・・・画像データ、３０５・・・バックライト制御信号
３０６・・・フレームレート変換用メモリ部、３０７・・・補間フレーム生成部
３０８・・・表示画像データ補正部、３０９・・・バックライト輝度算出部
３１０・・・映像信号
４０１・・・画像データ、４０２・・・演算後画像データ、４０３・・・画像データ
４０４・・・バックライト制御信号、４０６・・・フレームレート変換用メモリ部
４０７・・・明暗フィールド生成部、４０８・・・表示画像データ補正部
４０９・・・バックライト輝度算出部、４１０・・・映像信号
【図１】
2010085946.tif 000003
【図２】
2010085946.tif 000004
【図３】
2010085946.tif 000005
【図４】
2010085946.tif 000006